(57)【要約】【課題】信頼性の向上を図ること。【解決手段】硬貨振分部１３と、硬貨収納庫１４と、出金搬送部１５と、出金搬送部１５により搬送された硬貨を出金口７まで搬送させる第１状態と、硬貨振分部１３まで搬送させる第２状態との間で択一的に切換可能である切換部とを備え、出金指令に応じて任意の硬貨収納庫１４から繰り出された硬貨が出金搬送部１５を通じて搬送されたことが検知されない出金異常が検出された場合に、切換部を第２状態に切り換えるとともに予め決められた手順により設定した硬貨収納庫１４から少なくとも１枚の硬貨を探索用硬貨として繰り出させ、かつ硬貨振分部１３にて探索用硬貨のみを振り分けたときには正常と判定する一方、硬貨振分部１３にて探索用硬貨以外の硬貨を振り分けたときや探索用硬貨を振り分けることができないときには異常と判定する制御部３０を備えている。【選択図】図３
2019185509.tif 000002
【特許請求の範囲】
【請求項１】
入金された硬貨を金種毎に振り分ける硬貨振分部と、
前記硬貨振分部により振り分けられた硬貨を金種別に収納する複数の硬貨収納庫と、
少なくとも１つの硬貨収納庫から繰り出された硬貨を搬送する出金搬送部と、
前記出金搬送部により搬送された硬貨を出金口まで搬送させる第１状態と、前記出金搬送部により搬送された硬貨を前記硬貨振分部まで搬送させる第２状態との間で択一的に切換可能である切換部と
を備えた硬貨処理装置であって、
出金指令に応じて任意の硬貨収納庫から繰り出された硬貨が前記出金搬送部を通じて搬送されたことが検知されない出金異常が検出された場合に、前記切換部を前記第２状態に切り換えるとともに予め決められた手順により設定した硬貨収納庫から少なくとも１枚の硬貨を探索用硬貨として繰り出させ、かつ前記硬貨振分部にて前記探索用硬貨のみを振り分けたときには正常と判定する一方、該硬貨振分部にて前記探索用硬貨以外の硬貨を振り分けたときや該硬貨振分部にて前記探索用硬貨を振り分けることができないときには異常と判定する制御部を備えたことを特徴とする硬貨処理装置。
【請求項２】
前記制御部は、前記出金異常が検出された場合に、前記出金搬送部による搬送経路の上流側に配置された硬貨収納庫から前記探索用硬貨を繰り出させ、該硬貨収納庫に硬貨が収納されていないときには前記搬送経路にて該硬貨収納庫の次に上流側に配置された硬貨収納庫から前記探索用硬貨を繰り出させるよう、前記搬送経路の上流から下流に向けて配置された順に従って前記探索用硬貨を繰り出させる硬貨収納庫を設定することを特徴とする請求項１に記載の硬貨処理装置。
【請求項３】
前記制御部は、異常と判定した場合、その旨を報知することを特徴とする請求項１又は請求項２に記載の硬貨処理装置。
【発明の詳細な説明】
【技術分野】
【０００１】
本発明は、硬貨処理装置に関し、より詳細には釣銭機として適用される硬貨処理装置に関するものである。
【背景技術】
【０００２】
従来、釣銭機として適用される硬貨処理装置は、投入口に投入されることで入金された硬貨を識別し、正貨と識別された硬貨を硬貨振分部にて金種毎に振り分け、金種毎に設けられた硬貨収納庫に振り分けた硬貨を金種別に収納するものである。この硬貨処理装置は、外部の装置等から釣銭払出要求である出金指令が与えられた場合に、要求金額に相当する硬貨を該当する硬貨収納庫から繰り出させ、出金搬送部により出金口まで搬送して払い出すものである（例えば、特許文献１参照）。
【先行技術文献】
【特許文献】
【０００３】
【特許文献１】特開２０１６−７１６６２号公報
【発明の概要】
【発明が解決しようとする課題】
【０００４】
ところで、上述したような硬貨処理装置においては、出金搬送部を構成するモータ等が不具合により一時的に停止してしまうことがあり、これにより出金指令に応じて任意の硬貨収納庫から繰り出された硬貨が出金搬送部を通じて出金口まで搬送されない出金異常が一時的に発生してしまうことがあった。
【０００５】
このような出金異常が一時的に発生してしまうと、利用者からの問い合わせ等がなければ見過ごされてしまう虞れがあり、結果的に信頼性の低下を招来することとなる。
【０００６】
本発明は、上記実情に鑑みて、信頼性の向上を図ることができる硬貨処理装置を提供することを目的とする。
【課題を解決するための手段】
【０００７】
上記目的を達成するために、本発明に係る硬貨処理装置は、入金された硬貨を金種毎に振り分ける硬貨振分部と、前記硬貨振分部により振り分けられた硬貨を金種別に収納する複数の硬貨収納庫と、少なくとも１つの硬貨収納庫から繰り出された硬貨を搬送する出金搬送部と、前記出金搬送部により搬送された硬貨を出金口まで搬送させる第１状態と、前記出金搬送部により搬送された硬貨を前記硬貨振分部まで搬送させる第２状態との間で択一的に切換可能である切換部とを備えた硬貨処理装置であって、出金指令に応じて任意の硬貨収納庫から繰り出された硬貨が前記出金搬送部を通じて搬送されたことが検知されない出金異常が検出された場合に、前記切換部を前記第２状態に切り換えるとともに予め決められた手順により設定した硬貨収納庫から少なくとも１枚の硬貨を探索用硬貨として繰り出させ、かつ前記硬貨振分部にて前記探索用硬貨のみを振り分けたときには正常と判定する一方、該硬貨振分部にて前記探索用硬貨以外の硬貨を振り分けたときや該硬貨振分部にて前記探索用硬貨を振り分けることができないときには異常と判定する制御部を備えたことを特徴とする。
【０００８】
また本発明は、上記硬貨処理装置において、前記制御部は、前記出金異常が検出された場合に、前記出金搬送部による搬送経路の上流側に配置された硬貨収納庫から前記探索用硬貨を繰り出させ、該硬貨収納庫に硬貨が収納されていないときには前記搬送経路にて該硬貨収納庫の次に上流側に配置された硬貨収納庫から前記探索用硬貨を繰り出させるよう、前記搬送経路の上流から下流に向けて配置された順に従って前記探索用硬貨を繰り出させる硬貨収納庫を設定することを特徴とする。
【０００９】
また本発明は、上記硬貨処理装置において、前記制御部は、異常と判定した場合、その旨を報知することを特徴とする。
【発明の効果】
【００１０】
本発明によれば、出金指令に応じて任意の硬貨収納庫から繰り出された硬貨が出金搬送部を通じて搬送されたことが検知されない出金異常が検出された場合に、制御部が、切換部を第２状態に切り換えるとともに予め決められた手順により設定した硬貨収納庫から少なくとも１枚の硬貨を探索用硬貨として繰り出させ、かつ硬貨振分部にて探索用硬貨のみを振り分けたときには正常と判定する一方、該硬貨振分部にて探索用硬貨以外の硬貨を振り分けたときや該硬貨振分部にて探索用硬貨を振り分けることができないときには異常と判定するので、出金異常が検出された場合に異常の有無を判定して信頼性の向上を図ることができるという効果を奏する。
【図面の簡単な説明】
【００１１】
【図１】図１は、本発明の実施の形態である硬貨処理装置の構成を示す平面図である。
【図２】図２は、本発明の実施の形態である硬貨処理装置の構成を示す正面図である。
【図３】図３は、図１及び図２に示した硬貨処理装置の内部構成を模式的に示す模式図である。
【図４】図４は、本発明の実施の形態である硬貨処理装置の特徴的な制御系を示すブロック図である。
【図５】図５は、図４に示した入出金制御部が実施する出金検出処理の処理内容を示すフローチャートである。
【図６】図６は、図４に示したリトライ制御部が実施する出金確認処理の処理内容を示すフローチャートである。
【図７】図７は、図６に示した探索用硬貨収納庫設定処理の処理内容を示すフローチャートである。
【発明を実施するための形態】
【００１２】
以下に添付図面を参照して、本発明に係る硬貨処理装置の好適な実施の形態について詳細に説明する。
【００１３】
図１及び図２は、それぞれ本発明の実施の形態である硬貨処理装置の構成を示すものであり、図１は平面図、図２は正面図である。ここで例示する硬貨処理装置１は、例えばスーパーマーケットやコンビニエンスストア等の店舗においてＰＯＳレジスタ装置に接続される自動釣銭機として適用されるものであり、装置本体２を備えている。
【００１４】
装置本体２は、略直方状を成す筐体であり、投入口３、操作表示部４、出金口７及び返却口８を備えている。
【００１５】
投入口３は、装置本体２の前端上面の右側に設けてあり、投入された硬貨を装置本体２の内部に受け入れるための開口である。この投入口３は、例えば顧客等の利用者からの預り金を一時保持する一時保持部として機能する。
【００１６】
操作表示部４は、装置本体２の前端上面の左側に設けてあり、表示部５及び操作部６を有している。表示部５は各種情報を表示するものであり、操作部６は例えばテンキー等で構成されて各種の操作入力を行う入力手段である。
【００１７】
出金口７は、装置本体２の前面左側に設けてある。この出金口７は、装置本体２の内部に収納された硬貨を払い出すための開口であり、装置本体２に取り付けられた出金トレイ９に硬貨を払い出すものである。返却口８は、装置本体２の前面右側に設けてある。この返却口８は、硬貨を返却するための開口である。
【００１８】
図３は、図１及び図２に示した硬貨処理装置１の内部構成を模式的に示す模式図である。この図３を用いて硬貨処理装置１の内部構成を機能別に説明する。装置本体２の内部には、硬貨搬送機構１０（図４参照）が設けてある。この硬貨搬送機構１０は、入金搬送部１１、一時保留部１２、硬貨振分部１３、硬貨収納庫１４、出金搬送部１５及び切換ゲート群１６を有している。
【００１９】
入金搬送部１１は、投入口３より投入されるとともに図示せぬ投入検出センサによって検出された硬貨を搬送するものであり、検銭部１７が設けてある。検銭部１７は、硬貨の真贋及び金種を判別するものである。
【００２０】
一時保留部１２は、検銭部１７で正貨と判定された硬貨を一時的に保留するものである。硬貨振分部１３は、一時保留部１２で保留されてから搬送された硬貨を金種毎に振り分けるものである。
【００２１】
硬貨収納庫１４は、金種毎に設けてあり、硬貨振分部１３により振り分けられた硬貨を収納するものである。より具体的には、硬貨収納庫１４として、１円硬貨収納庫１４ａ、５０円硬貨収納庫１４ｂ、５円硬貨収納庫１４ｃ、１００円硬貨収納庫１４ｄ、１０円硬貨収納庫１４ｅ、５００円硬貨収納庫１４ｆの６つが前方側から順に設けてある。各硬貨収納庫１４は、投入された硬貨を金種別に個別に収納するようにしている。また各硬貨収納庫１４は、収納する商品を繰り出す機能を有している。
【００２２】
出金搬送部１５は、硬貨収納庫１４から繰り出された硬貨を前方に向けて搬送するものである。つまり出金搬送部１５は、硬貨収納庫１４から繰り出された硬貨を、出金口７に連通する出金シュート１８に向けて前方に搬送するものである。
【００２３】
ところで、各硬貨収納庫１４と出金搬送部１５との配置関係について説明する。出金搬送部１５は、硬貨を前方に向けて搬送するものであり、硬貨収納庫１４は、１円硬貨収納庫１４ａ、５０円硬貨収納庫１４ｂ、５円硬貨収納庫１４ｃ、１００円硬貨収納庫１４ｄ、１０円硬貨収納庫１４ｅ、５００円硬貨収納庫１４ｆの順に前方側から設けてある。よって、５００円硬貨収納庫１４ｆが出金搬送部１５による搬送経路の最も上流側に配置してあり、１０円硬貨収納庫１４ｅ、１００円硬貨収納庫１４ｄ、５円硬貨収納庫１４ｃ、５０円硬貨収納庫１４ｂ、１円硬貨収納庫１４ａの順に搬送経路の下流側に配置してある。
【００２４】
切換ゲート群１６は、第１切換ゲート１６ａ、第２切換ゲート１６ｂ及び第３切換ゲート１６ｃを備えている。第１切換ゲート１６ａは、入金搬送部１１の搬送方向下流側に設けてある。この第１切換ゲート１６ａは、入金搬送部１１で搬送された硬貨を一時保留部１２に搬送させる状態と、該硬貨を出金口７に搬送させる状態との間で択一的に切換可能なものである。
【００２５】
第２切換ゲート１６ｂは、一時保留部１２の搬送方向下流側に設けてある。この第２切換ゲート１６ｂは、一時保留部１２で保留された硬貨を硬貨振分部１３に送出させる状態と、該硬貨を返却口８に送出させる状態との間で択一的に切換可能なものである。かかる第２切換ゲート１６ｂは、常態においては、一時保留部１２で保留された硬貨を硬貨振分部１３に送出させる状態となっている。
【００２６】
第３切換ゲート１６ｃは、出金搬送部１５の搬送方向下流側に設けてある。この第３切換ゲート１６ｃは、出金搬送部１５で搬送された硬貨を、出金シュート１８を経由して出金口７に搬送させる搬送状態と、該硬貨を一時保留部１２に搬送させる循環状態との間で択一的に切換可能なものである。かかる第３切換ゲート１６ｃは、常態においては、搬送状態となっている。
【００２７】
つまり、第３切換ゲート１６ｃは、第２切換ゲート１６ｂとともに本発明の切換部を構成しており、出金搬送部１５により搬送された硬貨を出金口７まで搬送させる第１状態と、出金搬送部１５により搬送された硬貨を硬貨振分部１３まで搬送させる第２状態との間で択一的に切換可能である。
【００２８】
このような硬貨処理装置１の概要動作について説明する。投入口３に投入された硬貨は、ＰＯＳレジスタ装置等の上位装置１００（図４参照）からの入金許可指令を受け、投入検出センサによって検出された後、入金搬送部１１によって搬送され、検銭部１７により真贋及び金種が判定される。搬送された硬貨が正貨である場合、一時保留部１２に保留される。一方、搬送された硬貨が正貨でない場合、第１切換ゲート１６ａを介して出金口７に搬送され、出金トレイ９に返却される。尚、上位装置１００からの返却指示があった場合、一時保留部１２に保留された硬貨は、第２切換ゲート１６ｂを介して返却口８に返却される。
【００２９】
一時保留部１２に保留された硬貨は、硬貨振分部１３に搬送され、後方に向けて搬送されながら金種毎に振り分けられる。硬貨振分部１３によって振り分けられた硬貨は、金種に応じて硬貨収納庫１４に収納される。
【００３０】
上位装置１００からの出金指令が与えられた場合に、該出金指令に応じた金種の硬貨が任意の硬貨収納庫１４から繰り出されて出金搬送部１５により前方に向けて搬送され、第３切換ゲート１６ｃを介して出金口７から装置本体２の外部に払い出される。
【００３１】
図４は、本発明の実施の形態である硬貨処理装置１の特徴的な制御系を示すブロック図である。この図４に示すように、硬貨処理装置１は、上記構成の他、出金検知部２０、振分センサ２５、制御部３０を備えている。
【００３２】
出金検知部２０は、出金シュートセンサ２１及び出金トレイセンサ２２を備えている。出金シュートセンサ２１は、出金シュート１８を通過する硬貨の有無を検知するものである。出金トレイセンサ２２は、出金トレイ９に払い出された硬貨の有無を検知するものである。かかる出金検知部２０は、出金シュートセンサ２１及び出金トレイセンサ２２の少なくとも一方で硬貨を検知した場合には、出金検知した旨の検知信号を制御部３０に送出するものである。
【００３３】
振分センサ２５は、硬貨振分部１３から各硬貨収納庫１４への搬送路に設けてある。かかる振分センサ２５は、硬貨振分部１３から対応する硬貨収納庫１４へ振り分けられた硬貨の有無を検知するものであり、硬貨を検知した場合には、振分信号を制御部３０に送出するものである。
【００３４】
制御部３０は、出金検知部２０や振分センサ２５、表示部５、操作部６、硬貨搬送機構１０、検銭部１７が接続してあるとともに、上位装置１００が接続してある。この制御部３０は、操作部６を通じて指令が与えられた場合、あるいは検銭部１７から検出信号が与えられた場合、更には上位装置１００から各種指令が与えられた場合、記憶部４０に格納したプログラムやデータに基づいて表示部５の表示制御、硬貨搬送機構１０の駆動制御を行うものである。制御部３０は、入出金制御部３１及びリトライ制御部３２を有している。
【００３５】
入出金制御部３１は、上位装置１００から入力許可指令が与えられた後に硬貨が投入された場合に、入金許可指令に従って硬貨の入金処理を行い、かつ上位装置１００から出金指令が与えられた場合に、出金指令に従って硬貨の出金処理を行うものである。また入出金制御部３１は、これらの入金処理及び出金処理を実行している間、実施した入金処理及び出金処理の内容を入出金情報として逐次、記憶部４０に格納する処理も行う。そして、この入出金制御部３１は、硬貨の出金処理と並行して後述する出金検出処理を行うものである。
【００３６】
リトライ制御部３２は、上記入出金制御部３１による出金検出処理において出金異常が検出された場合に、後述する出金確認処理を行うものである。
【００３７】
図５は、図４に示した入出金制御部３１が実施する出金検出処理の処理内容を示すフローチャートである。
【００３８】
この出金検出処理において入出金制御部３１は、上記出金処理にて出金動作を開始したか否かを判断する（ステップＳ１０１）。すなわち、入出金制御部３１は、上位装置１００から出金指令が与えられることにより、該当する硬貨収納庫１４から硬貨を繰り出させるとともに、第３切換ゲート１６ｃを搬送状態にして出金搬送部１５を駆動させて硬貨収納庫１４から繰り出された硬貨を前方に搬送させる動作を開始したか否かを判断する。
【００３９】
この出金動作を開始していないと判断した場合（ステップＳ１０１：Ｎｏ）、入出金制御部３１は、後述する処理を実施することなく手順をリターンさせて今回の処理を終了する。
【００４０】
出金動作を開始していると判断した場合（ステップＳ１０１：Ｙｅｓ）、入出金制御部３１は、所定時間が経過するまでに出金検知部２０からの検知信号の入力待ちとなる（ステップＳ１０２，ステップＳ１０３）。
【００４１】
所定時間が経過するまでに出金検知部２０から検知信号を入力した場合（ステップＳ１０２：Ｙｅｓ，ステップＳ１０３：Ｎｏ）、入出金制御部３１は、出金が正常に行われたことを検出し（ステップＳ１０４）、その後に手順をリターンさせて今回の処理を終了する。
【００４２】
所定時間が経過するまでに出金検知部２０から検知信号を入力しない場合（ステップＳ１０２：Ｎｏ，ステップＳ１０３：Ｙｅｓ）、入出金制御部３１は、出金に異常があったと検出し（ステップＳ１０５）、その後に手順をリターンさせて今回の処理を終了する。
【００４３】
このようにして出金検出処理にて出金に異常があったと検出した場合、制御部３０を構成するリトライ制御部３２が次のような出金確認処理を実施する。
【００４４】
図６は、図４に示したリトライ制御部３２が実施する出金確認処理の処理内容を示すフローチャートである。この出金確認処理においてリトライ制御部３２は、探索用硬貨収納庫設定処理を実施する（ステップＳ２０１）。
【００４５】
図７は、図６に示した探索用硬貨収納庫設定処理の処理内容を示すフローチャートである。
【００４６】
この探索用硬貨収納庫設定処理においてリトライ制御部３２は、出金搬送部１５による最も上流側に配置された５００円硬貨収納庫１４ｆに５００円硬貨が収納されているか否かを判断する（ステップＳ２０１ａ）。５００円硬貨が収納されている場合（ステップＳ２０１ａ：Ｙｅｓ）、リトライ制御部３２は、５００円硬貨収納庫１４ｆを探索用硬貨収納庫に設定し（ステップＳ２０１ｂ）、その後に手順をリターンさせて今回の処理を終了する。
【００４７】
５００円硬貨が収納されていない場合（ステップＳ２０１ａ：Ｎｏ）、リトライ制御部３２は、５００円硬貨収納庫１４ｆの次に搬送経路の上流側に配置された１０円硬貨収納庫１４ｅに１０円硬貨が収納されているか否かを判断する（ステップＳ２０１ｃ）。１０円硬貨が収納されている場合（ステップＳ２０１ｃ：Ｙｅｓ）、リトライ制御部３２は、１０円硬貨収納庫１４ｅを探索用硬貨収納庫に設定し（ステップＳ２０１ｄ）、その後に手順をリターンさせて今回の処理を終了する。
【００４８】
１０円硬貨が収納されていない場合（ステップＳ２０１ｃ：Ｎｏ）、リトライ制御部３２は、１０円硬貨収納庫１４ｅの次に搬送経路の上流側に配置された１００円硬貨収納庫１４ｄに１００円硬貨が収納されているか否かを判断する（ステップＳ２０１ｅ）。１００円硬貨が収納されている場合（ステップＳ２０１ｅ：Ｙｅｓ）、リトライ制御部３２は、１００円硬貨収納庫１４ｄを探索用硬貨収納庫に設定し（ステップＳ２０１ｆ）、その後に手順をリターンさせて今回の処理を終了する。
【００４９】
１００円硬貨が収納されていない場合（ステップＳ２０１ｅ：Ｎｏ）、リトライ制御部３２は、１００円硬貨収納庫１４ｄの次に搬送経路の上流側に配置された５円硬貨収納庫１４ｃに５円硬貨が収納されているか否かを判断する（ステップＳ２０１ｇ）。５円硬貨が収納されている場合（ステップＳ２０１ｇ：Ｙｅｓ）、リトライ制御部３２は、５円硬貨収納庫１４ｃを探索用硬貨収納庫に設定し（ステップＳ２０１ｈ）、その後に手順をリターンさせて今回の処理を終了する。
【００５０】
５円硬貨が収納されていない場合（ステップＳ２０１ｇ：Ｎｏ）、リトライ制御部３２は、５円硬貨収納庫１４ｃの次に搬送経路の上流側に配置された５０円硬貨収納庫１４ｂに５０円硬貨が収納されているか否かを判断する（ステップＳ２０１ｉ）。５０円硬貨が収納されている場合（ステップＳ２０１ｉ：Ｙｅｓ）、リトライ制御部３２は、５０円硬貨収納庫１４ｂを探索用硬貨収納庫に設定し（ステップＳ２０１ｊ）、その後に手順をリターンさせて今回の処理を終了する。
【００５１】
５０円硬貨が収納されていない場合（ステップＳ２０１ｉ：Ｎｏ）、リトライ制御部３２は、５０円硬貨収納庫１４ｂの次に搬送経路の上流側に配置された１円硬貨収納庫１４ａを探索用硬貨収納庫に設定し（ステップＳ２０１ｋ）、その後に手順をリターンさせて今回の処理を終了する。
【００５２】
このようにして探索用硬貨収納庫を設定したリトライ制御部３２は、探索用硬貨収納庫から探索用硬貨を１枚繰り出させ、この探索用硬貨の搬送を行う（ステップＳ２０２）。より具体的に説明すると、リトライ制御部３２は、切換部を第２状態にさせ、すなわち第３切換ゲート１６ｃを循環状態にさせるとともに第２切換ゲート１６ｂを硬貨振分部１３に送出させる状態にさせ、更に出金搬送部１５及び硬貨振分部１３を駆動させる。
【００５３】
このようにして探索用硬貨の搬送を行ったリトライ制御部３２は、所定時間が経過するまでに振分センサ２５からの振分信号の入力待ちとなる（ステップＳ２０３，ステップＳ２０４）。
【００５４】
振分センサ２５からの振分信号を入力した場合（ステップＳ２０３：Ｙｅｓ，ステップＳ２０４：Ｎｏ）、リトライ制御部３２は、１枚の探索用硬貨のみの振分信号が否かを判断する（ステップＳ２０５）。
【００５５】
１枚の探索用硬貨のみの振分信号である場合（ステップＳ２０５：Ｙｅｓ）、リトライ制御部３２は、出金は正常である旨の出金正常の判定を行い（ステップＳ２０６）、その後に手順をリターンさせて今回の処理を終了する。
【００５６】
一方の１枚の探索用硬貨以外の硬貨の振分信号を含む場合（ステップＳ２０５：Ｎｏ）、リトライ制御部３２は、出金搬送部１５による搬送経路に硬貨が残留していた旨の出金異常（残留）の判定を行いつつ（ステップＳ２０７）、表示部５に出金異常（残留）が発生した旨の表示指令を送出し（ステップＳ２０８）、その後に手順をリターンさせて今回の処理を終了する。
【００５７】
これによれば、利用者に対し出金異常が発生したことを認識させることができ、メンテナンス作業を促すことが可能になる。
【００５８】
所定時間が経過しても振分センサ２５からの振分信号が入力されない場合（ステップＳ２０３：Ｎｏ，ステップＳ２０４：Ｙｅｓ）、リトライ制御部３２は、出金搬送部１５による搬送不良が生じた旨の出金異常（搬送不良）の判定を行いつつ（ステップＳ２０９）、表示部５に出金異常（搬送不良）が発生した旨の表示指令を送出し（ステップＳ２１０）、その後に手順をリターンさせて今回の処理を終了する。
【００５９】
これによれば、利用者に対し出金異常が発生したことを認識させることができ、メンテナンス作業を促すことが可能になる。
【００６０】
以上説明したように、本発明の実施の形態である硬貨処理装置１によれば、出金指令に応じて任意の硬貨収納庫１４から繰り出された硬貨が出金搬送部１５を通じて搬送されたことが出金検知部２０を通じて検知されない出金異常が検出された場合に、制御部３０が、第３切換ゲート１６ｃを循環状態で第２切換ゲート１６ｂを硬貨振分部１３に送出させる状態にさせるとともに、設定した硬貨収納庫１４から１枚の硬貨を探索用硬貨として繰り出させ、かつ硬貨振分部１３にて探索用硬貨のみを振り分けたときには正常と判定する一方、該硬貨振分部１３にて探索用硬貨以外の硬貨を振り分けたときや該硬貨振分部１３にて探索用硬貨を振り分けることができないときには異常と判定するので、出金異常が検出された場合に異常の有無を判定して信頼性の向上を図ることができる。
【００６１】
上記硬貨処理装置１によれば、制御部３０が、出金異常が検出された場合に、出金搬送部１５による搬送経路の上流側に配置された硬貨収納庫１４から探索用硬貨を繰り出させ、硬貨収納庫１４に硬貨が収納されていないときには搬送経路にて該硬貨収納庫１４の次に上流側に配置された硬貨収納庫１４から探索用硬貨を繰り出させるよう、搬送経路の上流から下流に向けて配置された順に従って探索用硬貨を繰り出させる硬貨収納庫１４を設定するので、探索用硬貨が出金搬送部１５によりできるだけ長い距離搬送されることとなり、出金搬送部１５等の異常の発生をより確実に判定することができる。
【００６２】
以上、本発明の好適な実施の形態について説明したが、本発明はこれに限定されるものではなく、種々の変更を行うことができる。
【００６３】
上述した実施の形態では、出金確認処理において、所定の硬貨収納庫１４より１枚の探索用硬貨を繰り出させたが、本発明においては、探索用硬貨は複数枚であっても構わない。
【００６４】
上述した実施の形態では、探索用硬貨収納庫設定処理において、出金搬送部１５による搬送経路の最上流側の５００円硬貨収納庫１４ｆから最下流側の１円硬貨収納庫１４ａまで収納硬貨の有無を判断していたが、本発明においては、すべての硬貨収納庫について行う必要なく、出金搬送部による搬送経路の最上流側の硬貨収納庫（例えば５００円硬貨収納庫）とその次に上流側に配置された硬貨収納庫（例えば１０円硬貨収納庫）だけについて収納硬貨の有無を判断してもよい。
【００６５】
上述した実施の形態では、出金確認処理において出金異常を判定した場合、その旨を表示部５に表示させていたが、本発明においては、表示部の表示に変えて、ブザー音を発して報知してもよい。
【００６６】
上述した実施の形態で図示した各構成は機能概略的なものであり、必ずしも物理的に図示の構成をされていることを要しない。すなわち、各装置及び構成要素の分散・統合の形態は図示のものに限られず、その全部又は一部を各種の使用状況などに応じて、任意の単位で機能的又は物理的に分散・統合して構成することができる。
【符号の説明】
【００６７】
１  硬貨処理装置
２  装置本体
３  投入口
４  操作表示部
５  表示部
６  操作部
７  出金口
８  返却口
９  出金トレイ
１０  硬貨搬送機構
１１  入金搬送部
１２  一時保留部
１３  硬貨振分部
１４  硬貨収納庫
１５  出金搬送部
１６  切換ゲート群
１７  検銭部
１８  出金シュート
２０  出金検知部
２１  出金シュートセンサ
２２  出金トレイセンサ
２５  振分センサ
３０  制御部
３１  入出金制御部
３２  リトライ制御部
４０  記憶部
【図１】
2019185509.tif 000003
【図２】
2019185509.tif 000004
【図３】
2019185509.tif 000005
【図４】
2019185509.tif 000006
【図５】
2019185509.tif 000007
【図６】
2019185509.tif 000008
【図７】
2019185509.tif 000009